(57)【要約】【課題】  基地局と端末の間の伝搬路の状態に応じて、受信成功通知信号の受信成功確率に応じてシンボルあたりに付加するビット数を最適にする（制御１）と、バースト信号の分割送信処理を行う（制御２）の切り替えを適切に行う無線バースト信号伝送システムを提供する。【解決手段】  基地局および端末内のフラグメント制御要求判定回路１０８が、それぞれ端末および基地局から受信した受信バースト信号から、伝搬路関数の誤差の時間変化の平均値および分散値、受信バースト信号のバースト信号長を求め、これらをもとに、（制御１）から（制御２）への切り替えを要求する際の指標を求める。端末および基地局が、それぞれ基地局および端末からこの要求を受信すると、フラグメント制御回路１１４は、送信バースト信号のバースト信号長が所定の値を超えていれば、（制御１）から（制御２）に切り替えて、それぞれ基地局および端末に送信バースト信号を送信する。【選択図】  図４
2006019886.tif 000002
【特許請求の範囲】
【請求項１】
無線バースト信号伝送システムにおける基地局または該基地局に帰属する端末局で行われる適応伝送レート制御方法において、
第１の局が、第２の局から受信した受信バースト信号から、前記第１の局と前記第２の局の間の伝搬路関数の誤差の時間変化の平均値および分散値、前記受信バースト信号のバースト信号長を求め、これらをもとに、受信成功通知信号の受信成功確率に応じてシンボルあたりに付加するビット数を最適な値にする第１の制御からバースト信号の分割送信処理を行う第２の制御への切り替えを要求する際の指標を求めるステップと、
前記第１の局が、前記受信バースト信号のデータ誤りを検出し、かつ、前記指標が所定の第１の値より大きくなったことを検出した場合、前記第１の制御から前記第２の制御に切り替える第１の要求を、前記第２の局に送信するステップと、
前記第１の局が、前記受信バースト信号のデータ誤りを検出しなくなり、かつ、前記指標が所定の第２の値より小さくなったことを検出した場合、前記第２の制御から前記第１の制御に切り替える第２の要求を、前記第２の局に送信するステップと、
前記第２の局が、前記第１の局から、前記第１の要求を受信し、かつ、送信バースト信号のバースト信号長が所定の第３の値よりも大きくなることを検出した場合、前記第１の制御から前記第２の制御に切り替えて、前記第１の局に前記送信バースト信号を送信するステップと、
前記第２の局が、前記第１の局から、前記第２の要求を受信した場合、前記第２の制御から前記第１の制御に切り替えて、前記第１の基地局に前記送信バースト信号を送信するステップを有することを特徴とする方法。
【請求項２】
前記指標は、前記第１の局と前記第２の局の間の伝搬路関数の誤差の時間変化の平均値と前記受信バースト信号のバースト信号長の積を、前記第１の局と前記第２の局の間の伝搬路関数の誤差の時間変化の分散値で割ったものである、請求項１に記載の方法。
【請求項３】
前記所定の第２の値は、前記所定の第１の値より小さい、請求項１または２に記載の方法。
【請求項４】
前記所定の第３の値は、前記第１の要求の受信頻度に応じて変化させる、請求項１から３のいずれか１項に記載の方法。
【請求項５】
請求項１から４のいずれか１項に記載の各ステップを、前記第１の局また前記第２の局である基地局または該基地局に帰属する端末局となるべきコンピュータに実行させるプログラム。
【請求項６】
請求項１から４のいずれか１項に記載の各ステップを、前記第１の局また前記第２の局である基地局または該基地局に帰属する端末局となるべきコンピュータに実行させるプログラムを記録した、コンピュータ読み取りが可能な記録媒体。
【請求項７】
無線バースト信号伝送システムにおける、複数の端末局が帰属する基地局において、
前記端末局から受信した受信バースト信号から、前記基地局と前記端末局の間の伝搬路関数の誤差の時間変化の平均値および分散値、前記受信バースト信号のバースト信号長を求め、これらをもとに、受信成功通知信号の受信成功確率に応じてシンボルあたりに付加するビット数を最適な値にする第１の制御からバースト信号の分割送信処理を行う第２の制御への切り替えを要求する際の指標を求める手段と、
前記受信バースト信号のデータ誤りを検出し、かつ、前記指標が所定の第１の値より大きくなったことを検出した場合、前記第１の制御から前記第２の制御に切り替える第１の要求を前記端末局に送信する手段と、
前記受信バースト信号のデータ誤りを検出しなくなり、かつ、前記指標が所定の第２の値より小さくなったことを検出した場合、前記第２の制御から前記第１の制御に切り替える第２の要求を前記端末局に送信する手段と、
前記端末局から前記端末局が行った前記第１の要求に相当する要求を受信し、かつ、送信バースト信号のバースト信号長が所定の第３の値よりも大きくなることを検出した場合、前記第１の制御から前記第２の制御に切り替えて、前記端末局に前記送信バースト信号を送信する手段と、
前記端末局から前記端末局が行った前記第２の要求に相当する要求を受信した場合、前記第２の制御から前記第１の制御に切り替えて、前記端末局に前記送信バースト信号を送信する手段を有することを特徴とする基地局。
【請求項８】
無線バースト信号伝送システムにおける、基地局に帰属する端末局において、
前記基地局から受信した受信バースト信号から、前記基地局と前記端末局の間の伝搬路関数の誤差の時間変化の平均値および分散値、前記受信バースト信号のバースト信号長を求め、これらをもとに、受信成功通知信号の受信成功確率に応じてシンボルあたりに付加するビット数を最適な値にする第１の制御からバースト信号の分割送信処理を行う第２の制御への切り替えを要求する際の指標を求める手段と、
前記受信バースト信号のデータ誤りを検出し、かつ、前記指標が所定の第１の値より大きくなったことを検出した場合、前記第１の制御から前記第２の制御に切り替える第１の要求を前記基地局に送信する手段と、
前記受信バースト信号のデータ誤りを検出しなくなり、かつ、前記指標が所定の第２の値より小さくなったことを検出した場合、前記第２の制御から前記第１の制御に切り替える第２の要求を前記基地局に送信する手段と、
前記基地局から前記基地局が行った前記第１の要求に相当する要求を受信し、かつ、送信バースト信号のバースト信号長が所定の第３の値よりも大きくなることを検出した場合、前記第１の制御から前記第２の制御に切り替えて、前記基地局に前記送信バースト信号を送信する手段と、
前記基地局から前記基地局が行った前記第２の要求に相当する要求を受信した場合、前記第２の制御から前記第１の制御に切り替えて、前記基地局に前記送信バースト信号を送信する手段を有することを特徴とする基地局。
【請求項９】
請求項８に記載の基地局と、
該基地局に帰属する請求項９に記載の複数の端末局を有し、前記基地局と前記端末局の間の伝搬路の状態に応じて、受信成功通知信号の受信成功確率に応じてシンボルあたりに付加するビット数を最適な値にする第１の制御と、バースト信号の分割送信処理を行う第２の制御との切り替えを行う無線バースト信号伝送システム。
【発明の詳細な説明】
【技術分野】
【０００１】
本発明は、無線バースト信号伝送システムに関する。
【背景技術】
【０００２】
図１を参照すると、無線バースト信号伝送システムの構成図が示されている。図１において、端末２０は、基地局１０に帰属している。上り通信の場合、端末２０は、基地局１０に対し、個別情報バースト信号３０を送信する。個別情報バースト信号３０を受信する基地局１０は、個別情報バースト信号３０を正しく受信できれば、ＡＣＫ（Ａｃｋｎｏｗｌｅｄｇｍｅｎｔ）信号４０を端末２０に送信する。端末２０がＡＣＫ信号４０を受信した場合、端末２０は、新しい個別情報バースト信号３０を必要に応じて基地局１０へ送信する。一方、端末２０がＡＣＫ信号４０を受信しない場合、端末２０は、基地局１０に対して個別情報バースト信号３０を再送する。
【０００３】
下り通信の場合についても、上り通信の場合と同様である。すなわち、基地局１０は、端末２０に対し、個別情報バースト信号３１を送信する。個別情報バースト信号３１を受信する端末２０は、個別情報バースト信号３１を正しく受信できれば、ＡＣＫ信号４１を基地局１０に送信する。基地局１０がＡＣＫ信号４１を受信した場合、基地局１０は、新しい個別情報バースト信号３１を必要に応じて端末２０へ送信する。一方、基地局１０がＡＣＫ信号４１を受信しない場合、基地局１０は、端末２０に対して個別情報バースト信号３１を再送する。
【０００４】
図２を参照すると、無線バースト信号伝送システムにおけるバースト信号の構成例が示されている。無線バースト信号伝送システムでは、図２のバースト信号の先頭に付加された既知信号を用いて、同期処理、伝搬路推定を行う。また、バースト情報信号を用いて、無線バースト信号の長さ、変調方式などのバースト信号の復調に必要な情報を求める。これらの同期処理、伝播路推定、バースト情報の処理結果を反映させて、データ信号の復調処理を行う。
【０００５】
次に、無線バースト信号伝送システムにおける高伝送効率化制御に関して説明する。
【０００６】
一般に、無線バースト信号伝送システムにおける送信機と受信機の間の無線伝搬路は、使用周波数帯域内における周波数成分ｆと、その周波数成分の時間変動tの関数で表される。つまり、伝搬路の関数は、Ｆ（ｆ，ｔ）と書き表せる。伝搬路Ｆ（ｆ，ｔ）を経由したバースト信号を復調する際には、バースト信号の先頭に付加された既知信号を用いて、伝搬路を推定する。このときの時刻ｔ＝０を基準にとると、既知信号を用いて推定された伝搬路はＦ（ｆ，ｔ＝０）となる。データ信号の復調は、Ｆ（ｆ，ｔ＝０）を用いて行われる。
【０００７】
このような復調方法を用いた場合、伝搬路Ｆ（ｆ，ｔ）は時間tの関数で表されるため、tが増加するにつれ、Ｆ（ｆ，ｔ）とＦ（ｆ，ｔ＝０）とのズレΔＦ（ｔ）が大きくなる。ズレΔＦ（ｔ）が大きくなる要因としては、発振器の発振周波数の揺らぎによる位相変動や、フェージングによる振幅／位相変動などの外乱が挙げられる。ズレΔＦ（ｔ）が大きくなると、復調信号の振幅および位相の誤差が増加し、データ復調誤りの確率がバースト信号の後方になるほど増加する。
【０００８】
この対策のため、従来技術では、ＡＣＫと呼ばれる無線パケット信号の受信成功通知信号の受信成功確率に応じた適応伝送レート制御を行う。この適応伝送レート制御とは、シンボル当たりに付加するビット数をＡＣＫの受信成功確率に応じて最適な値に設定することをいう。ＡＣＫの受信成功確率が高い場合は、シンボル当たりに付加するビット数を増加させ、伝送レートを向上させる。一方、ＡＣＫの受信成功確率が低い場合には、パケット信号の誤りによる伝送レートの低減化を抑制するため、シンボル当たりに付加するビット数を減少させることで、外乱の耐性を向上させ、バースト信号の誤り率を低減させる。
【０００９】
この適応伝送レート制御方法としては、例えば、受信品質に応じて最適な変調信号（ＢＰＳＫ（Ｂｉｎａｒｙ Ｐｈａｓｅ Ｓｈｉｆｔ Ｋｅｙｉｎｇ）、ＱＰＳＫ（Ｑｕａｄｒａｔｕｒｅ Ｐｈａｓｅ Ｓｈｉｆｔ Ｋｅｙｉｎｇ）、１６ＱＡＭ（Ｑｕａｄｒａｔｕｒｅ Ａｍｐｌｉｔｕｄｅ Ｍｏｄｕｌａｔｉｏｎ）、６４ＱＡＭなど）を選択する適応変調制御と、受信品質に応じて符号化率を最適な値に設定する適応符号化率制御などがある。
【００１０】
ＡＣＫの受信成功確率に応じた適応伝送レート制御では、ＡＣＫの受信成功確率が高い場合、受信品質が良好であると判断し、シンボル当たりに付加するビット数を上げる、あるいは、符号化率を上げて通信を行うことで伝送効率を向上させる。一方、ＡＣＫの受信成功確率が低い場合、受信品質が劣化していると判断し、シンボル当たりに付加するビット数を下げる、あるいは、符号化率を下げて通信を行うことで、バースト信号の誤りによって生じる再送要求処理の頻度を下げ、伝送効率を向上させる。
【００１１】
適応伝送レート制御は通常、バースト信号当たりのデータ数を固定して行う。この場合、ＡＣＫの受信成功確率が低減し、伝送レートが低減すると、単位時間当たりの伝送ビット数が低減するので、バースト信号長が長くなる。
【００１２】
一般にバースト信号長が長くなると、ズレΔＦ（ｔ）の増加により、バースト信号受信誤り率は増加する傾向を示すが、この増加分（ａ）よりも、伝送レートを低減させたことによる最小信号点間距離の増加、あるいは、符号化率の増加によるバースト信号受信誤り率の低減分（ｂ）の方が大きくなる場合は、トータルでバースト信号受信誤り率が低減する方向に作用し、伝送効率は増加する。逆に、上記増加分（ａ）よりも上記低減分（ｂ）の方が小さくなる場合は、伝送効率は低減する。
【００１３】
上記伝送効率の低減を改善するため、従来技術には、適応伝送レートの一種であるフラグメント制御というバースト信号分割送信処理を行う制御もある（例えば、特許文献１を参照）。このフラグメント制御は、バースト信号を分割送信するために、各々のバースト信号長を短くすることができる。その結果、時間が経つにつれて増加する誤差ΔＦ（ｔ）の増分を抑制することができる。その結果、バースト受信誤り率を低減させ、バースト信号の再送要求頻度を低減させることができるため、伝送効率を向上化させることができる。
【００１４】
以上をまとめると、従来技術には、伝送効率を向上させる制御として、以下に示す２通りの制御が挙げられる。
【００１５】
（制御１）適応伝送レート制御
誤差ΔＦ（ｔ）が時間無相関に近づくほど、制御として適している。
【００１６】
（制御２）フラグメント制御
誤差ΔＦ（ｔ）が時間相関に近づくほど、制御として適している。
【特許文献１】特開２００２−４４１３５号公報
【発明の開示】
【発明が解決しようとする課題】
【００１７】
従来技術におけるＡＣＫの受信確率に応じた適応伝送レート制御では、受信バースト信号が誤ったか否かの情報のみで適応伝送レート制御を行うため、伝送効率を改善する最適制御方式が（制御１）あるいは（制御２）のどちらなのかを精度よく判定できない問題がある。仮に（制御１）の制御の選択が最適の場合、誤って（制御２）の制御を行うと、バースト信号長を短くすることによってバースト信号受信誤り率は小さくならず、伝送効率は向上しない。一方で、仮に（制御２）の制御の選択が最適の場合、誤って（制御１）の制御を行うと、伝送レートが下がることによってバースト信号長が長くなるので、ΔＦ（ｔ）が時間経過とともに増加し、バースト受信誤り率が増大し、伝送効率が向上しない。
【００１８】
本発明の目的は、伝送効率を改善する最適制御が（制御１）あるいは（制御２）のどちらなのかを精度よく判定できる適応伝送レート制御方法を提供することにある。
【課題を解決するための手段】
【００１９】
上記目的を達成するために、本発明の適応伝送レート制御方法は、まず、基地局およびこの基地局に帰属する端末が、それぞれ端末および基地局から受信した受信バースト信号から、基地局と端末の間の伝搬路関数の誤差の時間変化の平均値および分散値、受信バースト信号のバースト信号長を求め、これらをもとに、受信成功通知信号の受信成功確率に応じてシンボルあたりに付加するビット数を最適な値にする（制御１）からバースト信号の分割送信処理を行う（制御２）への切り替えを要求する際の指標を求める。
【００２０】
ここで、基地局と端末の間の伝搬路関数の誤差の時間変化の平均値が大きければ、誤差ΔＦ（ｔ）の時間相関が大きいと考えられるため、（制御１）よりも（制御２）の方が好ましい。また、受信バースト信号のバースト信号長が長いほど、（制御１）よりも（制御２）の方が好ましい。逆に、基地局と端末の間の伝搬路関数の誤差の時間変化の分散値が大きければ、誤差ΔＦ（ｔ）の時間相関が小さいと考えられるため、（制御２）よりも（制御１）のほうが好ましい。したがって、こうした量から指標を求め、この指標にもとづいて制御の切り替えを要求するようにしたので、適切な制御を選択することができる。
【００２１】
例えば、この指標は、基地局と端末の間の伝搬路関数の誤差の時間変化の平均値と受信バースト信号のバースト信号長の積を、基地局と端末の間の伝搬路関数の誤差の時間変化の分散値で割ったものである。この場合、指標の値が大きくなれば、（制御１）よりも（制御２）の方が好ましいと言える。
【００２２】
次に、基地局および端末が、受信バースト信号のデータ誤りを検出し、かつ、上記指標が所定の第１の値より大きくなったことを検出した場合、（制御１）から（制御２）に切り替える第１の要求を、それぞれ端末および基地局に送信する。
【００２３】
逆に、基地局および端末が、受信バースト信号のデータ誤りを検出しなくなり、かつ、上記指標が所定の第２の値より小さくなったことを検出した場合、（制御２）から（制御１）に切り替える第２の要求を、それぞれ端末および基地局に送信する。
【００２４】
一方、端末および基地局が、それぞれ基地局および端末から第１の要求を受信し、かつ、送信バースト信号のバースト信号長が所定の第３の値よりも大きくなることを検出した場合、（制御１）から（制御２）に切り替えて、それぞれ基地局および端末に送信バースト信号を送信する。
【００２５】
このように、第１の要求を受信するだけでなく、実際に送信しようとしている送信バースト信号のバースト信号長が、（制御２）を行うのに適切なほどの大きさを有しているかをチェックすることにより、より適切な制御切り替えが実現できる。
【００２６】
また、端末および基地局が、それぞれ基地局および端末から第２の要求を受信した場合、（制御２）から（制御１）に切り替えて、それぞれ基地局および端末に送信バースト信号を送信する。
【発明の効果】
【００２７】
以上説明したように、本発明によれば、従来技術における適応伝送レート制御で課題となっていた、伝送効率を改善する最適制御が（制御１）あるいは（制御２）のどちらなのかを精度よく判定できない課題を解決することができ、システムの伝送効率を向上させることができる。
【発明を実施するための最良の形態】
【００２８】
次に、本発明の実施の形態について、図面を参照して詳細に説明する。
【００２９】
図３を参照すると、本発明の一実施形態のバースト信号伝送システムの構成図が示されている。図３において、端末２０は、基地局１０に帰属している。
【００３０】
上り通信の場合、端末２０は、基地局１０に対し、個別情報バースト信号３０を送信する。個別情報バースト信号３０を受信する基地局１０は、個別情報バースト信号３０が正しく受信できれば、ＡＣＫ信号４１を端末２０に送信する。端末２０がＡＣＫ信号４１を受信した場合、端末２０は、新しい個別情報バースト信号３０を必要に応じて送信する。一方、端末２０がＡＣＫ信号４１を受信しない場合、端末２０は、基地局１０に対して個別情報バースト信号３０を再送する。基地局１０は、バースト信号の受信状態に応じて、フラグメント制御信号をフラグメント制御バースト信号５１として端末２０に送信する。この場合、フラグメント制御信号は、ＡＣＫ信号４１に含めてもよい。フラグメント制御信号を受信した端末２０は、基地局１０に対してフラグメント制御した個別情報バースト信号３０を送信する。
【００３１】
下り通信の場合も、上り通信の場合と同様である。基地局１０は、端末２０に対し、個別情報バースト信号３１を送信する。個別情報バースト信号３１を受信する端末２０は、個別情報バースト信号３１が正しく受信できれば、ＡＣＫ信号４０を基地局１０に送信する。基地局１０がＡＣＫ信号４０を受信した場合、基地局１０は、新しい個別情報バースト信号３１を必要に応じて送信する。一方、基地局１０がＡＣＫ信号４０を受信しない場合、基地局１０は、端末２０に対して個別情報バースト信号３１を再送する。端末２０は、受信状態に応じて、フラグメント制御バースト信号５０を基地局１０に送信する。この場合、フラグメント制御信号は、ＡＣＫ信号４０に含めてもよい。フラグメント制御信号を受信した基地局１０は、端末２０に対してフラグメント制御した個別バースト信号３１を送信する。
【００３２】
図４を参照すると、基地局１０または端末２０の送受信機構成が示されている。図４の送受信機構成において、無線伝搬したバースト信号は、アンテナ１００で受信される。その後、アナログ／ベースバンド変換回路１０１で、アナログ信号からベースバンド信号に変換される。このベースバンド受信信号をＲ（ｆ，ｔ）とする。ここで、Ｒ（ｆ，ｔ）は、周波数ｆおよび時間ｔの関数を表す。伝搬路推定回路１０２では、アナログ／ベースバンド変換回路１０１の出力となる受信バースト信号の既知信号から伝搬路関数を推定し、Ｆ（ｆ，ｔ＝０）を求める。伝搬路補正回路１０３では、ベースバンド受信信号Ｒ（ｆ，ｔ）を、伝搬路関数Ｆ（ｆ，ｔ＝０）を用いて伝搬路補正処理を行う。すなわち、Ｒ（ｆ，ｔ）に対して、伝搬路推定回路１０２で推定された無線伝搬関数Ｆ（ｆ，ｔ＝０）で除算し、ベースバンド送信信号Ｓ（ｆ，ｔ）を算出する処理を行う。パイロット生成回路１０４では、バースト信号に付加されたパイロット信号を抽出あるいは生成する。
【００３３】
伝搬路推定誤差検出回路１０５では、パイロット生成回路１０４の出力と伝搬路補正回路１０３の出力から、伝搬路推定誤差を算出し、誤差検出を行う。伝搬路推定誤差検出回路１０５での誤差検出は、パイロット信号にもとづいて誤差ΔＦ（ｔ）を求め、その後、誤差ΔＦ（ｔ）の振幅／位相に対する時間変動値ΔＦ＿ｅｒｒｏｒを次式により算出し、出力する。
【００３４】
ΔＦ＿ｅｒｒｏｒ（ｔ）＝ΔＦ（ｔ）−ΔＦ（ｔ-Δｔ）・・・・・・・（３）
ここで、Δt（＞０）は任意の時間間隔である。
【００３５】
復号回路１０６では、誤り訂正処理されたデータを復号処理する。バースト信号情報検出回路１０７では、図２のバースト信号に付加されたバースト情報信号より、バースト信号長、変調方式情報（ＢＰＳＫ、ＱＰＳＫ、１６ＱＡＭ、６４ＱＡＭなど）、および、符号化率情報の復号を行い、バースト信号に関する情報を検出する。
【００３６】
データ誤り検出回路１０９では、バースト信号のデータの誤り検出を行う。フラグメント制御要求判定回路１０８では、伝搬路推定誤差検出回路１０５で算出された伝搬路推定誤差情報、データ誤り検出回路１０９からのデータ誤り検出情報、および、バースト信号情報検出回路１０７からのバースト信号に関する情報にもとづいて、フラグメント制御の開始あるいは停止の判断を行い、その判定信号を出力する。
【００３７】
ＡＣＫ送信判定回路１１０では、データ誤り検出回路１０９からバースト信号のデータ誤りが無いという情報を得た場合に、ＡＣＫ送信を行うことを判定し、ベースバンド送信信号生成回路１１１に対してＡＣＫ送信を指示する。ベースバンド送信信号生成回路１１１は、ＡＣＫ送信判定回路１１０から出力されるＡＣＫデータ、あるいは、フラグメント制御回路１１４から出力される送信データ系列からデータを受け、バースト信号のベースバンド信号を生成する。ベースバンド信号生成回路１１１の出力は、ベースバンド／アナログ変換回路１１２により、ベースバンド／アナログ信号変換され、アンテナ１１３より基地局１０または端末２０に送信される。フラグメント制御判定回路１０８では、フラグメント制御判定結果をＡＣＫ送信判定回路に出力する。
【００３８】
なお、図面の簡略化のため、ＡＣＫの受信確率に応じて適応伝送レート制御を行う機能部は省略されている。この部分は、従来技術と全く同様である。
【００３９】
次に、端末２０において、フラグメント制御判定回路１０８の情報を含むＡＣＫ信号が基地局１０に送信された場合における、基地局１０の送受信処理過程を説明する。
【００４０】
基地局１０において、端末２０より受信したＡＣＫ信号に含まれるフラグメント制御情報は、バースト信号情報検出回路１０７により検出される。バースト信号情報検出回路１０７により検出されたフラグメント制御情報は、フラグメント制御回路１１４に通知される。フラグメント制御回路１１４は、このフラグメント制御情報にもとづき、フラグメント制御の開始あるいは停止を施し、その結果をベースバンド送信信号生成回路１１１に出力する。ベースバンド送信信号は、ベースバンド／アナログ変換回路１１２、アンテナ１１３を介して、端末２０に送信される。上記説明においては、基地局１０から端末２０への下り通信について記載しているが、端末２０から基地局１０へ上り通信についても同様のフローである。
【００４１】
本実施形態の根幹をなす部分は、第１には、フラグメント制御要求判定回路１０８にある。以下、フラグメント制御要求判定回路１０８について説明を行う。
【００４２】
フラグメント制御要求判定回路１０８は、伝搬路推定誤差検出回路１０５からあらかじめ設定した所定の時間間隔で出力される式（３）のΔＦ＿ｅｒｒｏｒ（ｔ）を受信し、その統計量として、例えば、バースト当たりに測定されるΔＦ＿ｅｒｒｏｒの平均値Ａｖｅ＿ΔＦ＿ｅｒｒｏｒおよび分散値Ｖａｒ＿ΔＦ＿ｅｒｒｏｒを算出する。
【００４３】
一方で、データ誤り検出回路１０９から、バースト信号誤りＰ＿ｅｒｒｏｒを受信する。ここで、バースト信号誤りなしの場合は、Ｐ＿ｅｒｒｏｒ＝０、バースト信号誤りありの場合はＰ＿ｅｒｒｏｒ＝１とする。Ｐ＿ｅｒｒｏｒ＝０の場合は、次式のＭ＿Ｆｒａｇ値を算出する。
【００４４】
Ｍ＿Ｆｒａｇ
＝Ａｖｅ＿ΔＦ＿ｅｒｒｏｒ×Ｌｅｎｇｔｈ／Ｖａｒ＿ΔＦ＿ｅｒｒｏｒ・・・（４）
ここで、Ｌｅｎｇｔｈは、バースト信号長である。
【００４５】
式（４）において、Ｍ＿Ｆｒａｇ値は、制御（２）のフラグメント制御が制御（１）よりも最適な制御となる確率の高さを示す指標となることを以下に示す。
【００４６】
図５にΔＦ＿ｅｒｒｏｒ（ｔ）の統計として確率密度分布を示す。図５において、特性（ａ）は熱雑音に代表される時間無相関な変動のみがある状態の特性を表している。一方、特性（ｂ）は熱雑音に代表される時間無相関な変動と、発信機等の揺らぎ、フェージング等の時間相関をもつ変動をもつ無線伝搬路の変動がある状態での特性を表している。式（４）において、Ａｖｅ＿ΔＦ＿ｅｒｒｏｒは、時間相関をもつ変動の平均時間変動量を表しているため、Ａｖｅ＿ΔＦ＿ｅｒｒｏｒが大きくなる程バースト信号の後段でデータ誤りが生じやすくなり、制御（２）のフラグメント制御が制御（１）よりも最適である確率が高くなる。つまり、図５において、特性（ａ）より、特性（ｂ）の方がＡｖｅ＿ΔＦ＿ｅｒｒｏｒが大きいので、制御（２）に適していることになる。
【００４７】
一方、式（４）における、バースト信号の長さＬｅｎｇｔｈが長くなる程、バースト信号あたりのΔＦ＿ｅｒｒｏｒ（ｔ）の採取量が増し、統計量の精度が向上するため、Ｍ＿Ｆｒａｇ値の信頼度が向上する。したがって、Ａｖｅ＿ΔＦ＿ｅｒｒｏｒにＬｅｎｇｔｈを重み付けすることでＭ＿Ｆｒａｇ値の信頼度を向上させる。
【００４８】
一方、式（４）におけるΔＦ＿ｅｒｒｏｒ（ｔ）の分散値Ｖａｒ＿ΔＦ＿ｅｒｒｏｒは、この値が大きくなる程、定常的なΔＦ＿ｅｒｒｏｒ（ｔ）の時間変動量の推定精度が低減し、時間無相関な変動が占める割合が多くなるので、制御（２）のフラグメント制御よりも、制御（１）の方が最適となる確率が高くなる。したがって、Ｖａｒ＿ΔＦ＿ｅｒｒｏｒを、Ａｖｅ＿ΔＦ＿ｅｒｒｏｒ×Ｌｅｎｇｔｈの値に対して除することで、Ｍ＿Ｆｒａｇ値の信頼度を向上させている。
【００４９】
以上のことから、式（４）のＭ＿Ｆｒａｇ値は、制御（２）のフラグメント制御が制御（１）よりも最適な制御となる確率の高さを示す指標となることがわかる。結果、式（４）のＭ＿Ｆｒａｇ値の算出情報を用いることで、制御（１）、制御（２）の最適な選択確率が向上し、伝送効率が向上する作用がある。
【００５０】
バースト信号誤りが生じ、Ｐ＿ｅｒｒｏｒ＝１となった場合、式（４）で算出した、過去最新のＭ＿Ｆｒａｇ値を用いて、Ｍ＿Ｆｒａｇ値の絶対値｜Ｍ＿Ｆｒａｇ｜が次式で表される判定閾値Ｔｈ＿ＯＮより大きい場合は、フラグメント制御の開始要求を行う。
【００５１】
｜Ｍ＿Ｆｒａｇ｜＞Ｔｈ＿ＯＮ（＞０）・・・・・・・・（５）
一方で、｜Ｍ＿Ｆｒａｇ｜値が式（５）を満足し、フラグメント制御がＡｃｔｉｖｅとなった状態で、バースト信号データ誤りがＰ＿ｅｒｒｏｒ＝０と改善し、かつ、次式を満足した場合は、フラグメント制御の停止要求を行う。
【００５２】
｜Ｍ＿Ｆｒａｇ｜＜Ｔｈ＿ＯＦＦ（＞０）・・・・・・・・（６）
ただし、式（６）における判定閾値Ｔｈ＿ＯＦＦと、式（５）のＴｈ＿ＯＮは、フラグメント制御の開始、停止の切替え制御負荷の増加を低減するため、次式の関係を満たすように設定する。
【００５３】
Ｔｈ＿ＯＮ＞Ｔｈ＿ＯＦＦ（＞０）・・・・・・・・・・（７）
なお、式（４）におけるＭ＿Ｆｒａｇ値は、過去複数のバースト信号に対する統計量から算出してもよい。また、バースト信号の誤りの度合いはＰ＿ｅｒｒｏｒの統計量から判定してもよい。
【００５４】
本実施形態の根幹をなす部分は、第２に、フラグメント制御回路１１４にある。以下、フラグメント制御回路１１４の動作について説明を行う。
【００５５】
フラグメント制御情報を含むＡＣＫ信号を受信した受信機は、バースト情報検出回路１０７より、フラグメント制御情報を抽出し、バースト情報検出回路１０７は、このフラグメント制御情報をフラグメント制御回路１１４に通知する。上述したように、フラグメント制御回路１１４では、フラグメント制御情報に基づき、送信するデータ系列に対してフラグメント処理を行うが、その際、フラグメント処理の最終判定は、送信時点での送信バースト信号長Ｌ＿Ｔｘｄａｔａの情報をもとに決定される。フラグメント処理を行うか否かは、次式を用いて判定される。
【００５６】
Ｌ＿Ｔｘｄａｔａ＞Ｔｈ＿Ｔｘｄａｔａ・・・・・・・・・・・（８）
式（８）において、判定閾値Ｔｈ＿Ｔｘｄａｔａは、フラグメント制御回路１１４で抽出した、フラグメント情報により決定される。
【００５７】
フラグメント制御回路１１４において、送信時点での送信データ長Ｌ＿Ｔｘｄａｔａが式（８）を満足した場合は、フラグメント処理により送信バースト信号を再分割化し、送信するよう指示する。式（８）を満足しない場合は、フラグメント処理を行わず、送信バースト信号を送信するよう指示する。バースト情報検出回路１０７にて抽出されたフラグメント制御信号から、フラグメント停止要求をフラグメント制御回路１１４で受けた場合は、フラグメント制御回路１１４でのフラグメント制御を停止する。
【００５８】
なお、式（８）における判定閾値Ｔｈ＿Ｔｘｄａｔａは、フラグメント要求信号の受信頻度に応じて適応的に制御してもよい。つまり、フラグメント要求信号の受信頻度が多い場合は、Ｔｈ＿Ｔｘｄａｔａを低減させ、フラグメント制御の頻度を増加させることで送信バースト信号の誤り率を低減させ、再送頻度を低減させることで、伝送効率を向上させてもよい。一方、フラグメント要求信号の受信頻度が小さい場合は、Ｔｈ＿Ｔｘｄａｔａを増加させ、フラグメント制御の頻度を低減させることで、フラグメント制御による伝送効率の低減を改善させてもよい。
【００５９】
また、式（８）における判定閾値Ｔｈ＿Ｔｘｄａｔａは、送信バースト信号の変調方式、符号化率に応じて、適応的に制御してもよい。つまり、送信バースト信号の変調方式、符号化率情報より、シンボル当たりに付加するビット数が大きい場合には、無線伝送路の時間変動に対する通信耐性が低いため、Ｔｈ＿Ｔｘｄａｔａを低減させ、フラグメント制御の頻度を増加させることで送信バースト信号の誤り率を低減させ、再送頻度を低減させることで、伝送効率を向上させても良い。一方、シンボル当たりに付加するビット数が小さい場合には、無線伝送路の時間変動に対する通信耐性が高いため、Ｔｈ＿Ｔｘｄａｔａを増加させ、フラグメント制御の頻度を低減させることで、フラグメント制御による伝送効率の低減を改善させても良い。
【００６０】
フラグメント制御回路１１４で、フラグメント要求信号を受信した送信機は式（８）により、フラグメント処理の最終判定を行う。既述したように、フラグメント制御の効果は送信時点での送信バースト信号長に依存する。つまり、送信バースト信号長が短い程、伝播路の時間変動の影響を受けなくなるため、フラグメント制御の選択確率を下げ、逆に、送信バースト信号長が長い程、伝播路の時間変動の影響を受けやすくなるため、フラグメント制御の選択確率を上げる。したがって、式（８）において、閾値Ｌ＿Ｔｘｄａｔａの情報をもとにフラグメント制御の最終判定を行うことで、フラグメント制御選択の妥当性を向上させ、伝送効率を向上させる作用がある。
【００６１】
なお、本発明の基地局および端末の各回路部は、専用のハードウェアにより実現する以外に、その機能を実現するためのプログラムを、コンピュータ読み取りが可能な記録媒体に記録して、この記録媒体に記録されたプログラムを、当該基地局および端末となるべきコンピュータに読み込ませて実行することにより、実現するものでもよい。コンピュータ読み取りが可能な記録媒体とは、フロッピーディスク、光磁気ディスク、ＣＤ−ＲＯＭ等の記録媒体、コンピュータシステムに内蔵されるハードディスク装置等の記憶装置を指す。さらに、コンピュータ読み取りが可能な記録媒体とは、インターネットを介してプログラムを送信する場合のように、短時間の間に、動的にプログラムを保持するもの（伝送媒体もしくは伝送波）、コンピュータシステム内部の揮発性メモリのように、一定時間プログラムを保持しているものも含む。
【図面の簡単な説明】
【００６２】
【図１】従来技術の無線バースト信号伝送システムの構成図である。
【図２】無線バースト信号の構成図である。
【図３】本発明の無線バースト信号伝送システムの構成図である。
【図４】本発明の端末または基地局の送信機／受信機の構成を示す図である。
【図５】ΔＦ＿ｅｒｒｏｒ（ｔ）の確率密度分布を示す図である。
【符号の説明】
【００６３】
１０  基地局
２０  端末
３０、３１  個別情報バースト信号
４０、４１  ＡＣＫ信号
５０、５１  フラグメント制御バースト信号
１００、１１３  アンテナ
１０１  アナログ／ベースバンド変換回路
１０２  伝播路推定回路
１０３  伝播路補正回路
１０４  パイロット生成回路
１０５  伝播路推定誤差検出回路
１０６  復号回路
１０７  バースト信号情報検出回路
１０８  フラグメント制御要求判定回路
１０９  データ誤り検出回路
１１０  ＡＣＫ送信判定回路
１１１  ベースバンド送信信号生成回路
１１２  ベースバンド／アナログ変換回路
１１４  フラグメント制御回路
【図１】
2006019886.tif 000003
【図２】
2006019886.tif 000004
【図３】
2006019886.tif 000005
【図４】
2006019886.tif 000006
【図５】
2006019886.tif 000007